(57)【特許請求の範囲】
【請求項１】
紙葉類を取り扱う紙葉類取扱装置であって、
紙葉類を導入するための導入口を有する装置本体と、
前記装置本体に対して回動可能に取り付けられ、前記導入口に導入される紙葉類を支持する第１の蓋体と、
前記第１の蓋体に接続され、前記第１の蓋体の閉蓋動作に伴って前記導入口を覆い、前記第１の蓋体の開蓋動作に伴って前記導入口を外部に開放する第２の蓋体と、を備える紙葉類取扱装置。
【請求項２】
請求項１に記載の紙葉類取扱装置において、
前記第２の蓋体は、前記第１の蓋体の閉蓋時に前記装置本体に固定される紙葉類取扱装置。
【請求項３】
請求項２に記載の紙葉類取扱装置において、
前記装置本体は、第１の係合部を備え、
前記第２の蓋体は、前記第１の蓋体の閉蓋時に前記第１の係合部と係合する第２の係合部を備える紙葉類取扱装置。
【請求項４】
請求項３に記載の紙葉類取扱装置において、
前記第１の蓋体は、先端が前記装置本体に取り付けられている脚部と、前記脚部の基端が固定されている第１基端部と、前記第１基端部の反対側に形成されている第１先端部とを備え、
前記第２の蓋体は、前記第１の蓋体の第１基端部に回動可能に接続されている紙葉類取扱装置。
【請求項５】
請求項４に記載の紙葉類取扱装置において、
前記第２の蓋体は、前記第１の蓋体に接続されている第２基端部と、前記第２基端部の反対側に形成され、前記第２の係合部を有する第２先端部とを備える紙葉類取扱装置。
【請求項６】
請求項１ないし請求項５に記載の紙葉類取扱装置において、
前記装置本体は操作部を備え、
前記第１の蓋体は閉蓋時に前記操作部を覆う紙葉類取扱装置。
【請求項７】
原稿読み取り装置であって、
請求項１ないし請求項６に記載の紙葉類取扱装置を備える原稿読み取り装置。
【請求項８】
印刷装置であって、
請求項１ないし請求項６に記載の紙葉類取扱装置を備える印刷装置。
【発明の詳細な説明】
【技術分野】
【０００１】
本発明は、紙葉類取扱装置に関する。
【背景技術】
【０００２】
従来から、シートフィード機能を備え、画像を読み取るための原稿や画像を印刷するための用紙等の紙葉類を取り扱う、例えばイメージスキャナや複写機等の、紙葉類取扱装置が知られている（特許文献１）。これらの紙葉類取扱装置には、装置を収納する際の利便性のため、装置に導入される紙葉類を支持するトレイが回動可能に取り付けられたものが知られている。
【０００３】
【特許文献１】特開平１１−２３９２４９号公報
【発明の開示】
【発明が解決しようとする課題】
【０００４】
しかし、トレイは、紙葉類取扱装置に導入される紙葉類を支持するための平面を備えなければならず、このトレイを蓋体とした紙葉類取扱装置は形状に制約を受けることがあった。
【０００５】
本発明は、上記した従来の課題の少なくとも一部を解決するためになされた発明であり、紙葉類を支持するトレイを備えた紙葉類取扱装置の形状の制約を軽減させることを目的とする。
【課題を解決するための手段】
【０００６】
上記課題の少なくとも一部を解決するために本願発明は以下の態様を採る。
【０００７】
本発明の第１の態様は、紙葉類を取り扱う紙葉類取扱装置を提供する。本発明の第１の態様に係る紙葉類取扱装置は、紙葉類を導入するための導入口を有する装置本体と、前記装置本体に対して回動可能に取り付けられ、前記導入口に導入される紙葉類を支持する第１の蓋体と、前記第１の蓋体に接続され、前記第１の蓋体の閉蓋動作に伴って前記導入口を覆う第２の蓋体と、を備える。
【０００８】
本発明の第１の態様に係る紙葉類取扱装置によれば、第２の蓋体により導入口を覆うため、装置本体の形状の制約を軽減させることができる。
【０００９】
本発明の第１の態様に係る紙葉類取扱装置において、前記第２の蓋体は、前記第１の蓋体の閉蓋時に前記装置本体に固定されていてもよい。この場合、導入口を覆った状態で第２の蓋体を装置本体に固定することができる。
【００１０】
本発明の第１の態様に係る紙葉類取扱装置において、前記装置本体は、第１の係合部を備え、前記第２の蓋体は、前記第１の蓋体の閉蓋時に前記第１の係合部と係合する第２の係合部を備えてもよい。この場合、第１の係合部および第２の係合部により、第２の蓋体を装置本体に固定することができる。
【００１１】
本発明の第１の態様に係る紙葉類取扱装置において、前記第１の蓋体は、先端が前記装置本体に取り付けられている脚部と、前記脚部の基端が固定されている第１基端部と、前記第１基端部の反対側に形成されている第１先端部とを備え、前記第２の蓋体は、前記第１の蓋体の第１基端部に回動可能に接続されていてもよい。この場合、第１の蓋体の第１基端部に接続されている第２の蓋体により導入口を覆うことができる。
【００１２】
本発明の第１の態様に係る紙葉類取扱装置において、前記第２の蓋体は、前記第１の蓋体に接続されている第２基端部と、前記第２基端部の反対側に形成され、前記第２の係合部を有する第２先端部とを備えていてもよい。この場合、第２先端部に形成された第２の係合部により第２の蓋体を装置本体に固定することができる。
【００１３】
本発明の第１の態様に係る紙葉類取扱装置において、前記装置本体は操作部を備え、前記第１の蓋体は閉蓋時に前記操作部を覆ってもよい。この場合、第１の蓋体により操作部を保護することができる。
【００１４】
本発明は、上記以外の種々の態様で、実現可能であり、例えば、紙葉類取扱装置をそなえる原稿読み取り装置、印刷装置またはこれらの複合機等の形態で実現することが可能である。
【発明を実施するための最良の形態】
【００１５】
以下、本発明に係る紙葉類取扱装置の１態様であるスキャナについて、図面を参照しつつ、実施例に基づいて説明する。
【００１６】
Ａ．装置の構成：
図１は、本実施例におけるスキャナの外観を例示した説明図である。スキャナ１００は、読み取り対象物を光学的に読み取り、画像データを出力する画像読み取り装置である。本実施例のスキャナ１００は、いわゆるシートフィード型のスキャナである。スキャナ１００は、ケース１１０と、前蓋板１２０と、後蓋板１３０と、を備える。前蓋板１２０は、特許請求の範囲における「第１の蓋体」に該当し、後蓋板１３０は、特許請求の範囲における「第２の蓋体」に該当する。
【００１７】
ケース１１０は略筺形状を備え、内部には後述する種々の装置を格納している。ケース１１０は、給紙口１１１と、排紙口１１２と、表示パネル１１３と、操作スイッチ１１４と、を備える。給紙口１１１は、ケース１１０の上側に配置され、画像を読み取る原稿が導入される。排紙口１１２は、給紙口１１１から導入され、内部装置により画像を読み取られた原稿が排出される。表示パネル１１３は、ケース１１０の上側に配置され、スキャナ１００の動作状況のほか、読み取り精度や読み取り範囲等について表示する。操作スイッチ１１４は、スキャナ１００の動作や読み取り精度等についての入力を可能にする。本実施例において、スキャナ１００の排紙口１１２側を前側、排紙口１１２側を後側として説明する。表示パネル１１３および操作スイッチ１１４は、特許請求の範囲における「操作部」に該当する。
【００１８】
図２は前蓋板の外観を例示した説明図である。前蓋板１２０は、ケース１１０と接続される側を基端側（図２（ａ）の下側）、また、基端側の反対側を先端側（図２（ａ）の上側）として説明する。前蓋板１２０は、板状部１２１と、脚部１２２と、被接続部１２３と、を備える。板状部１２１は略矩形形状に形成され、先端側に先端辺１２１ａを、基端側に基端辺１２１ｂを備える。脚部１２２は、基端辺１２１ｂの両角部に配置され、先端には、突状部１２２ａが形成されている。図１に示すように、前蓋板１２０は、この突状部１２２ａがケース１１０の給紙口１１１の上側に形成された凹状部１１５に枢着されることによりケース１１０に対して回動可能に取り付けられている。本実施例では、脚部１２２は、基端辺１２１ｂの両角部に配置されているが、基端辺１２１ｂの近傍であれば、基端辺１２１ｂ上に配置されていなくてもよい。
【００１９】
脚部１２２は突状部１２２ａと、板状部１２１との間に所定の距離を保つように形成されているため、前蓋板１２０は、開蓋時に基端辺１２１ｂが、給紙口１１１の後側（後述する当接面１１０ａ）と当接することができる。前蓋板１２０は、基端辺１２１ｂを給紙口１１１の後側と当接させた状態で、板状部１２１上に導入口に導入する原稿を支持する。板状部１２１上の原稿は、基端辺１２１ｂの両端に配置された脚部１２２の間を通って給紙口１１１に導入される。
【００２０】
図２（ａ）に示すように、被接続部１２３は、基端辺１２１ｂ上で、脚部１２２の外側にそれぞれ配置され、後蓋板１３０の接続を可能にしている。図２（ｂ）の拡大図に示すように、被接続部１２３は、基端辺１２１ｂの一部を先端側方向（上方向）にスリット状に切り欠いて形成された互いに対向する端面１２３ａと、この対向する端面１２３ａ上に架設された円柱状の係部１２３ｂにより形成されている。本実施例では、被接続部１２３は、基端辺１２１ｂの両角部に配置されているが、基端辺１２１ｂの近傍であれば、基端辺１２１ｂ上に配置されていなくてもよい。
【００２１】
図３は後蓋板の外観を例示した説明図である。後蓋板１３０は、前蓋板１２０と接続される側を基端側（図３の上側）、また、基端側の反対側を先端側（図３の下側）として説明する。後蓋板１３０は、板状部１３１と、接続部１３２と、係合部１３３とを備える。板状部１３１は、略矩形形状に形成され、後述する給紙口１１１の上部形状に沿うように形成されている。板状部１３１は、先端側に先端辺１３１ａを、基端側に基端辺１３１ｂを備える。接続部１３２は、フック状に形成され、後蓋板１３０の基端辺１３１ｂの両角部にそれぞれ配置されている。後蓋板１３０は、接続部１３２のフックが被接続部１２３の係部１２３ｂに係合することにより前蓋板１２０に回動可能に接続されている。係合部１３３は、突状に形成され、後蓋板１３０の基端辺１３１ｂの両角部にそれぞれ配置されている。係合部１３３は、後述するケース１１０上に配置された被係合部１１６と係合する。係合部１３３は特許請求の範囲における「第２の係合部」に該当する。接続部１３２および係合部１３３は基端辺１３１ｂおよび先端辺１３１ａの近傍であれば、辺上に配置されていなくてもよい。
【００２２】
Ｂ．閉蓋時の態様：
図４は、閉蓋時のスキャナの外観を例示した説明図である。図５は、スキャナの後側の説明図である。図５では説明のために後蓋板１３０の図示を省略している。図４に示すように、前蓋板１２０は、閉蓋時において、先端側がスキャナ１００の前側に、基端側がスキャナ１００の後側となるようにして板状部１２１により表示パネル１１３および操作スイッチ１１４を覆っている。後蓋板１３０は、前蓋板１２０の後側に配置され、基端辺１３１ｂが、前蓋板１２０の基端辺１２１ｂと突き合うようにして配置される。後蓋板１３０は閉蓋時に給紙口１１１を覆う。
【００２３】
図５に示すように、ケース１１０は、給紙口１１１の後側に開蓋時に前蓋板１２０の基端辺１２１ｂが当接する当接面１１０ａを備える。当接面１１０ａは、一対の突状の被係合部１１６を備える。被係合部１１６は閉蓋時に後蓋板１３０の係合部１３３と係合する。後蓋板１３０は、係合部１３３と被係合部１１６とが係合することにより、先端側の回動が規制される。そのため、前蓋板１２０の閉蓋時に後蓋板１３０は、ケース１１０に固定された状態となる。被係合部１１６は特許請求の範囲における「第１の係合部」に該当する。
【００２４】
Ｃ．蓋板の動作：
図６は、開蓋時におけるスキャナの断面を例示した説明図である。図７は、閉蓋動作時におけるスキャナの断面を例示した説明図である。図８は、閉蓋時におけるスキャナの断面を例示した説明図である。ケース１１０は、表示パネル１１３および操作スイッチ１１４が配置された平坦な操作面ｈｆを備えている。また、給紙口１１１の上部において山形の曲線形状ｍｓを有している。
【００２５】
図６に示すように、開蓋時には、前蓋板１２０は、基端辺１２１ｂが当接面１１０ａと当接している。後蓋板１３０は、給紙口１１１の後側において、基端側を上側にし、先端側が吊り下がった状態で先端辺１３１ａがケース１１０の後側と接触している。
【００２６】
スキャナ１００は図６の開蓋状態から閉蓋動作をおこなうことにより図８の閉蓋状態となる。閉蓋動作は、図７に示すように、突状部１２２ａを軸にして板状部１２１をスキャナ１００の前側に傾倒させることによりおこなう。このとき、操作面ｈｆの後側の端縁ｈｆ１から凹状部１１５間での距離が、凹状部１１５から当接面１１０ａまでの距離と概ね等しいため、前蓋板１２０をスキャナ１００の前側に倒す動作に伴い、前蓋板１２０の後端側は給紙口１１１を跨ぎ、操作面ｈｆの端縁ｈｆ１に向かって弧を描くようにして移動する。また、前蓋板１２０の先端側は操作面ｈｆの前側の端縁ｈｆ２に向かって弧を描くようにして移動する。前蓋板１２０に基端側が接続された後蓋板１３０は、閉蓋動作に伴い、前蓋板１２０に牽引され、板状部１３１が給紙口１１１の上側に移動し、先端辺１３１ａがケース１１０の後側を摺るようにして上方に移動する。
【００２７】
板状部１２１の先端側が端縁ｈｆ２と当接すると図８に示す閉蓋状態となる。このとき、前蓋板１２０と後蓋板１３０は、操作面ｈｆおよび給紙口１１１上部の曲線形状ｍｓと断面が略平行となる。また、後蓋板１３０の先端側において、係合部１３３は被係合部１１６と当接し、後蓋板１３０はケース１１０に固定される。
【００２８】
Ｄ．装置の動作：
図６を用いて、装置の動作について説明する。スキャナ１００はケース１１０の内部に、給紙ローラ１４１と、排紙ローラ１４２と、透過板１４３と、光源１４４と、反射板１４５と、光電変換素子１４６とを備える。スキャナ１００は、板状部１２１に載置された原稿を、給紙口１１１から給紙ローラ１４１により透過板１４３上に搬送する。原稿が１４３上に搬送されると、光源１４４は透過板１４３を介して原稿面に光を照射する。この照射により原稿から反射した光が反射板１４５に反射し、光電変換素子１４６で結像することで、原稿面のイメージデータが読み取られる。原稿の読み取りは、１ライン分ずつ読み取られ、読み取りが完了する都度、ローラにより排紙口１１２方向に搬送される。読み取られた原稿は排紙ローラ１４２により排紙口１１２へ搬送される。
【００２９】
以上の本実施例に係る紙葉類取扱装置によれば、閉蓋時に後蓋板１３０により給紙口１１１を覆うため、スキャナ１００の形状の制約を軽減させることができる。具体的には、平坦な形状の前蓋板１２０により給紙口１１１を覆わず、後蓋板１３０により給紙口１１１を覆うため、給紙口１１１を平坦にする必要がなく、スキャナ１００の形状の制約を軽減させることができる。
【００３０】
本実施例に係る紙葉類取扱装置によれば、前蓋板１２０と後蓋板１３０の２つの蓋体によりスキャナ１００の上面を覆うため、スキャナ１００の形状の制約を軽減させることができる。具体的には、ケース１１０の上部において、平坦な部分と山形の曲面形状を有する部分とがある場合においても、トレイとしての機能を備える前蓋板１２０が平坦な部分を覆い、曲面形状を有する部分を後蓋板１３０が覆うことにより、ケース１１０のデザインの自由度を向上させることができる。
【００３１】
本実施例に係る紙葉類取扱装置によれば、閉蓋時に、前蓋板１２０により表示パネル１１３や操作スイッチ１１４を覆い、後蓋板１３０により給紙口１１１を覆っているため、これらの部分を保護することができる。また、スキャナ１００の非使用時において操作部の操作や給紙口への原稿等の挿入を防ぎ、装置の故障等を抑制することができる。
【００３２】
本実施例に係る紙葉類取扱装置によれば、ケース１１０と前蓋板１２０にそれぞれ係合部を備え、閉蓋時に係合することにより、前蓋板１２０をケース１１０に固定することができる。これにより、閉蓋時に前蓋板１２０を回動させて、原稿を給紙口１１１に挿入させることを抑制できる。
【００３３】
本実施例に係る紙葉類取扱装置によれば、前蓋板１２０は、脚部１２２を備え、後蓋板１３０は前蓋板１２０の基端辺１２１ｂに接続されているため、前蓋板１２０の閉蓋動作により後蓋板１３０の係合部１３３をケース１１０の被係合部１１６と係合させることができる。具体的には、前蓋板１２０の基端側は、脚部１２２を備えているため、閉蓋動作に伴い弧を描くようにして移動する。これにより、基端辺１２１ｂに基端辺１３１ｂが接続されている後蓋板１３０は、先端辺１３１ａがケース１１０の後側を摺るようにして上方に移動するため、係合部１３３を被係合部１１６に係合させることができる。
【００３４】
本実施例に係る紙葉類取扱装置によれば、前蓋板１２０は脚部１２２を備えているため、閉蓋時に曲面形状の給紙口１１１を覆うことなく、平坦な面を覆うことができ、後蓋板１３０は板状部１２１の後端側に接続されているため給紙口１１１を覆うことができる。
【００３５】
Ｅ．変形例：
本実施例では、給紙口１１１の上部は山形の曲線形状に形成されているとしたが、閉蓋時に後蓋板１３０が覆うことが可能であれば他の形状であってもいい。
【００３６】
本実施例では、給紙トレイを前蓋板１２０として用いているが、給紙トレイがスキャナ１００の蓋体として機能しなくても、給紙トレイに後蓋板１３０が接続され、給紙トレイの格納時に後蓋板１３０が給紙口１１１を覆うスキャナ１００として実現してもよい。
【００３７】
本実施例では、スキャナ１００は表示パネル１１３および操作スイッチ１１４を備えているが、スキャナ１００はこれらの一部を備えていてもよいし、これらを備えていなくてもよい。
【００３８】
本実施例では、閉蓋時において、前蓋板１２０は表示パネル１１３および操作スイッチ１１４を覆っているが、これらと異なるものを覆ってもよいし、また、何も覆わなくてもよい。
【００３９】
本実施例では、脚部１２２、被接続部１２３、接続部１３２、係合部１３３、被係合部１１６は、装置の両端付近にそれぞれ対をなして配置されているが、対となっていなくてもよい。
【００４０】
本実施例におけるスキャナ１００はスキャナ専用機であるが、これに限らず、給紙トレイが備えられた装置であれば、スキャナ、ファックス等の原稿読み取り装置や、プリンタ、コピー機等の印刷装置、またはこれらの複合機等についても本発明を適用することができる。
【００４１】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【図面の簡単な説明】
【００４２】
【図１】本実施例におけるスキャナの外観を例示した説明図である。
【図２】前蓋板の外観を例示した説明図である。
【図３】後蓋板の外観を例示した説明図である。
【図４】閉蓋時のスキャナの外観を例示した説明図である。
【図５】スキャナの後側の説明図である。
【図６】開蓋時におけるスキャナの断面を例示した説明図である。
【図７】閉蓋動作時におけるスキャナの断面を例示した説明図である。
【図８】閉蓋時におけるスキャナの断面を例示した説明図である。
【符号の説明】
【００４３】
１００…スキャナ
１１０…ケース
１１１…給紙口
１１２…排紙口
１１３…表示パネル
１１４…操作スイッチ
１１５…凹状部
１１６…被係合部
１２０…前蓋板
１２１…板状部
１２２…脚部
１２３…被接続部
１３０…後蓋板
１３１…板状部
１３２…接続部
１３３…係合部
１４１…給紙ローラ
１４２…排紙ローラ
１４３…透過板
１４４…光源
１４５…反射板
１４６…光電変換素子
【図１】
0005082953.tif 000002
【図２】
0005082953.tif 000003
【図３】
0005082953.tif 000004
【図４】
0005082953.tif 000005
【図５】
0005082953.tif 000006
【図６】
0005082953.tif 000007
【図７】
0005082953.tif 000008
【図８】
0005082953.tif 000009